(57)【特許請求の範囲】
【請求項１】
メダルを使用して遊技する店で使用され、紙幣を投入した場合及び貸機内に預けたメダルから貸出ボタン操作によって貸出す場合に、所要枚数のメダルを内部に設けたメダルホッパーから払出機で払い出して払出路を介して貸機前面に設けたトレイに払い出す機能を有し、又貸機前面に設けた投入口から遊技に使用したメダルを投入するとメダルを貸機内の回収路を経て回収するとともに、投入したメダル枚数をメダルカウンターにより計数して投入メダル情報として電気的に記憶されて、同投入メダル情報は貸機に備えたコンピュータでメダル計算処理に使用されるようにしたメダル貸機に於いて、
前記トレイは上面及び後面を開口した箱状であり且つ貸機前面に突出するように設けられ、前記トレイの中間の高さに形成されるトレイ底面は水平状態と貸機内部に向けて下方に傾斜する傾斜状態に変更できる可動底面と後方中間底面とから形成され、同可動底面をトレイにある回転操作レバーの操作によって水平状態と傾斜状態に変更できる状態切換機構を有し、トレイの後面で前記トレイ底面上方の開口は貸機のメダル払出路の払出口に臨んでいて、前記トレイ底面は前記払出口に設けたメダルシュートを介して接続され、又傾斜状態にある可動底面の上面のメダルはその傾斜によって滑ってトレイの前記後方中間底面下方にある開口部分を介して貸機内の回収路へ落下するように構成され、前記回転操作レバーの操作で可動底面を水平状態又は傾斜状態にでき、前記トレイの上方開口を払出しメダルの取出口又はメダルの投入口にもできるようにしたことを特徴とする、メダル貸機。
【請求項２】
前記状態切換機構が、トレイの可動底面をトレイの前方で枢支して傾動可能とし、同可動底面を傾斜方向に付勢するスプリングをトレイ本体との間に設けるとともに、可動底面に規制片を垂設し、同規制片の先端をトレイ本体の水平面で回転する回転体に立設した螺旋壁面の外面と接触させるとともに、前記螺旋壁面の連続した外面に可動底面を水平状態に保持する上方係止の位置と可動底面を傾斜状態に保持する下方係止の位置とを有し、前記回転体を回転させる回転操作レバーを設けるとともに同回転操作レバーを回転操作することで、規制片を上方係止の位置に当接させて可動底面を水平に保持し、又規制片を下方係止の位置に当接させて可動底面を傾斜状態に保持させるようにした構造である、請求項１記載のメダル貸機。
【請求項３】
トレイの後部が貸機内へ収納されるように後退自在に貸機に取付けられた、請求項１又は２記載のメダル貸機。
【発明の詳細な説明】
【技術分野】
【０００１】
本発明は、スロットル等の遊技場で使用されているメダルを貸出すメダル貸機であって、紙幣投入及び貸出ボタンの操作によってホッパーに貯えているメダルを所要枚数だけ貸機前面に設けたトレイに払い出し、又は使用したメダルを貸機の前面に設けたメダル投入口から投入するとそのメダルを回収するとともに投入されたメダル枚数を貸機内のメダルカウンターで電気情報として記憶保存して、貸機内コンピュータでメダル計算の情報として使用されるメダル貸機におけるメダルの取出し用のトレイと、メダル投入口の構造に関する。
【背景技術】
【０００２】
従来のメダル貸機は、特許文献１の発明の如くメダルの払出しのトレイと、使用したメダルを投入してメダル回収できるようにする投入口とは、貸機の別の位置に独立して設けられている。
【０００３】
この特許文献１の発明では、貸機の上方にメダル払出口を設け、同払出口にスロットル機の受皿への腕状のメダルシュートを取り付け、貸機の下方に使用したメダルの回収用の受皿部及びメダルホッパーを設けている。そのため、貸機内ホッパーから払い出された貸出のメダルを下方のメダルホッパーから上方のメダル払出口まで上昇させる揚送機構が必要となり、貸機内の構造が複雑となる。又、貸機の払出メダルを手でスロットル機へ移動させるタイプの貸機では、払出口とメダル投入口を上下２個所設ける必要があり、遊技者のメダル移動操作性が悪くなる。又、このメダルシュートでメダルをスロットル機の受皿へ移動させるタイプは、貸機の貸出メダルをスロットル機の受皿へ移行させるので便利な一面、スロットル機の点検・補修の為に前面扉を開く場合、メダルシュートが逆にその開く時の障害となるという欠点もある。
【０００４】
更に、特許文献２には、遊技媒体貸出機の計数メダル受皿部が貸出機の前面から突出するように設けられ、同計数メダル受皿部が貸出して払い出されたメダルの受皿となるとともに、使用したメダルを投入して投入メダルを受け入れてそのメダル枚数をカウントして投入メダル情報としてメダル処理できる装置が開示されている。
しかし、この装置では計数メダル受皿でメダルの取り出し及びメダル投入を容易にし且つメダル零れがないように貸出機の前面の計数メダル受皿を長く突き出すことは遊技機の扉を点検・補修の為に開く際に扉がこの計数メダル受皿と当るので、長く突き出すことができにくいものであった。又、遊技機の交換作業時に貸出機の前面に突出した計数メダル受皿部が遊技機と接触して装置を破損させることとなる。そのため、計数メダル受皿部の長さが長くできず短くなって、その分計数メダル受皿部からメダルの遊技者の手による取り出しを難しく且つメダル零れしやすくしていた。
【先行技術文献】
【特許文献】
【０００５】
【特許文献１】特開２００６−２９６４７５号公報
【特許文献２】特許第５３３６６４２号公報
【発明の概要】
【発明が解決しようとする課題】
【０００６】
本発明が解決しようとする課題は、従来の問題点を解消し、払い出したメダルの取出しのトレイが簡単な操作で投入口として使用できるようにして、しかも遊技者のメダルの取り出しと投入の操作を容易にするとともに、払い出し構造とメダルの投入口構造の設置空間を少なくし、又貸機内の動力を必要とする機構を増さないようにする。
及び、トレイが前方に長くできてメダルの取り出し及びメダルの投入が容易に出来、更に遊技機の前面扉の開閉の支障にならないようにトレイを後退させることができるようにする。
【課題を解決するための手段】
【０００７】
かかる課題を解決した本発明の構成は、
１）  メダルを使用して遊技する店で使用され、紙幣を投入した場合及び貸機内に預けたメダルから貸出ボタン操作によって貸出す場合に、所要枚数のメダルを内部に設けたメダルホッパーから払出機で払い出して払出路を介して貸機前面に設けたトレイに払い出す機能を有し、又貸機前面に設けた投入口から遊技に使用したメダルを投入するとメダルを貸機内の回収路を経て回収するとともに、投入したメダル枚数をメダルカウンターにより計数して投入メダル情報として電気的に記憶されて、同投入メダル情報は貸機に備えたコンピュータでメダル計算処理に使用されるようにしたメダル貸機に於いて、
前記トレイは上面及び後面を開口した箱状であり且つ貸機前面に突出するように設けられ、前記トレイの中間の高さに形成されるトレイ底面は水平状態と貸機内部に向けて下方に傾斜する傾斜状態に変更できる可動底面と後方中間底面とから形成され、同可動底面をトレイにある回転操作レバーの操作によって水平状態と傾斜状態に変更できる状態切換機構を有し、トレイの後面で前記トレイ底面上方の開口は貸機のメダル払出路の払出口に臨んでいて、前記トレイ底面は前記払出口に設けたメダルシュートを介して接続され、又傾斜状態にある可動底面の上面のメダルはその傾斜によって滑ってトレイの前記後方中間底面下方にある開口部分を介して貸機内の回収路へ落下するように構成され、前記回転操作レバーの操作で可動底面を水平状態又は傾斜状態にでき、前記トレイの上方開口を払出しメダルの取出口又はメダルの投入口にもできるようにしたことを特徴とする、メダル貸機
２）  前記状態切換機構が、トレイの可動底面をトレイの前方で枢支して傾動可能とし、同可動底面を傾斜方向に付勢するスプリングをトレイ本体との間に設けるとともに、可動底面に規制片を垂設し、同規制片の先端をトレイ本体の水平面で回転する回転体に立設した螺旋壁面の外面と接触させるとともに、前記螺旋壁面の連続した外面に可動底面を水平状態に保持する上方係止の位置と可動底面を傾斜状態に保持する下方係止の位置とを有し、前記回転体を回転させる回転操作レバーを設けるとともに同回転操作レバーを回転操作することで、規制片を上方係止の位置に当接させて可動底面を水平に保持し、又規制片を下方係止の位置に当接させて可動底面を傾斜状態に保持させるようにした構造である、前記１）記載のメダル貸機
３）  トレイの後部が貸機内へ収納されるように後退自在に貸機に取付けられた、前記１）又は２）記載のメダル貸機
にある。
【発明の効果】
【０００８】
本発明では、トレイの中間位置に形成される底面が可動底面と後方中間底面とより構成し、しかも可動底面が水平状態と傾斜状態になっていて、水平状態では貸機内のメダル払出路の払出口がトレイ底面に絡がって払出されるメダルがトレイに貯えられメダルトレイとして機能し、又可動底面を傾斜すると可動底面に投入されるメダルを貸機の回収口を介してメダルの回収路に絡ぐことができ、しかもその状態の切換が回転操作レバーの左右回転で切換えられるようになっているので、トレイは取出トレイとして又は使用したメダルの投入口としても簡単に切換えて使用でき、使用が容易となる。尚、払い出したメダルを直ちに回収することも同様にできる。
【０００９】
しかも、トレイが取出トレイと投入口として兼用するので、貸機での取付空間平面積を少なくできる。メダルの投入口は払い出しトレイの位置になるが、投入のメダルは自重落下で下方へ移動するので、従来のメダルホッパー・払出機・メダルカウンター以外に特別の動力装置は不要となっている。
【００１０】
更に、トレイ後部が貸機へ収納できるものでは、トレイの貸機前面からの突出長さを短くして、隣の遊技機の前面扉の点検・補修等で開く際の支障にならなくできる。逆に、通常使用の場合トレイを前方に長く突出できるので、メダルの取り出し・メダル投入が容易にできる。
【図面の簡単な説明】
【００１１】
【図１】図１は本発明の実施例のメダル貸機の設置状態を示す斜視図である。
【図２】図２は実施例のメダル貸機の内部の主要構成を示す説明図である。
【図３】図３は実施例のトレイの可動底面が水平状態でトレイを後方に縮退させた場合の斜視図である。
【図４】図４は実施例のトレイの可動底面が水平状態で且つトレイを前方へ引出した場合の斜視図である。
【図５】図５は実施例のトレイの可動底面を傾斜状態で且つトレイを前方へ引出した状態を示す斜視図である。
【図６】図６は実施例のトレイの可動底面を水平状態におけるトレイを後方に縮退させた場合とトレイを前方に引出した場合の内部構造を示す説明図である。
【図７】図７は実施例のトレイを前方へ引出した場合でのトレイの可動底面が水平状態と傾斜状態での状態切換機構の動作を示す説明図である。
【図８】図８は実施例のガイドが可動底面を傾斜状態から水平状態へ移行させる動作を示す説明図である。
【図９】図９は実施例の要部構造の分解斜視図である。
【図１０】図１０は実施例の回転体と回転リングと螺旋壁面とを示す説明図である。
【図１１】図１１は実施例の状態切換機構の規制片と回転体の接触状態を示す説明図である。
【図１２】図１２は実施例の状態切換機構の動きを示す説明図である。
【発明を実施するための形態】
【００１２】
本発明の状態切換機構は実施例の構造に限ることなく、他の機構でも可能である。好ましくは、シンプルな機構でメダルの取出し及び投入が容易で且つメダル洩れがない形状・機構が好ましい。
【実施例】
【００１３】
以下、図１〜図１２に示す実施例を図面に基づいて説明する。
本実施例の状態切換機構は、請求項２を引用した請求項３記載の構造であり、しかもトレイの後方の一部が貸機内に収納され、回転操作レバーはトレイの前面の開口から突出して左又は右方向に回動することで、トレイを払い出されたメダルの取り出しトレイと、メダル投入口とに切換えられるようにした例である。
【００１４】
（実施例の符号の説明）
Ｇは実施例のメダル貸機、Ｓは遊技機のスロットル機、Ｃはメダル貸機Ｇの貸機ケーシング、ＣＦは同貸機の前面壁、ＨＭはメダルホッパー、ＨＤはメダルホッパーＨＭの下部に取付けたメダル払出機、ＨＲはメダルの払出路、ＨＯは払出口、ＳＨは紙幣判別装置、ＳＴは紙幣投入口、ＭＲは回収路、ＭＲＯは回収口、ＭＣはメダルカウンター、ＭＫはメダル供給コンベア、ＭＳはメダル供給コンベアＭＫからメダルを貸機内のメダルホッパーＨＭへ送り込む補給路、ＵＭＫはメダル回収コンベア、ＵＭＨは回収路ＭＲのメダルをメダル回収コンベアＵＭＫへ送り出すメダル排出路、ＣＯＭは貸機の機器を制御・情報を入力して記憶・計算・ソフト処理及び表示器ＬＤ・表示処理を行う貸機コンピュータ、ＢＨは貸機に預けたメダルからの貸出ボタン、ＩＣはメダル枚数を管理するメダルＩＣカードのメダルＩＣカード挿入口、ＬＤは紙幣額又はメダル枚数等を表示する表示器である。
【００１５】
又、１１は実施例のトレイ、１１ａはトレイ前面、１１ｂはトレイ前面１１ａ下方の開口、１１ｃはトレイ１１の左右両側にあるトレイ前方側面、１１ｄは左右両側にあるトレイ後方側面、１１ｅはトレイ後方側面１１ｄの前端の円弧状端面、１１ｆはトレイの後方開口、１１ｇはトレイ１１の固定前方底面、１１ｈはトレイ前方側面１１ｃとトレイ後方側面１１ｄとの連接段部、１２はトレイ１１の上方開口、１３はトレイ１１の底面、１３１は底面１３の前方にある可動底面、１３１ａは可動底面１３１の円弧状の左側面ガイド板、１３１ｂは可動底面１３１の枢支軸、１３１ｃは可動底面１３１の後方段面、１３７はトレイ後方側面１１ｄの後端上方に突出させたストッパ、１３８はトレイ底面１３を形成するトレイ１１の中間高さ位置の左右のトレイ後方側面１１ｄ間に架設した後方中間底面である。
【００１６】
１４は状態切換機構、１４１は可動底面１３１の下面からＪ状に垂設した規制片、１４２は可動底面１３１と固定前方底面１１ｇとの間に取付けられた可動底面１３１を傾斜方向に引き寄せる付勢手段であるスプリング、１４３は固定前方底面１１ｇの上面に取付けられた円盤状の回転体、１４３ａは同回転体１４３の上面に立設された螺旋壁面、１４３ｂは同螺旋壁面の規制片１４１が可動底面１３１を水平にする水平維持の当接の位置、１４３ｃは規制片１４１が可動底面１３１を傾斜状態に維持する傾斜維持の当接の位置、１４３ｄは回転体１４３の回転中心ねじ、１４３ｅは回転体１４３の上面の前方に立設したＣ字状の回転リング、１４３ｆは同回転リング１４３ｅに取付けた回転操作レバー、１５は払出口ＨＯと回収口ＭＲＯを設けトレイ１１を前後に進退可能に保持する貸機ケーシングＣに固着した取付フレーム、１５ａは取付フレーム１５の上方に設けたメダルの払出口で払出口ＨＯともなる。１５ｂは同払出口に設けたメダルシュート、１５ｃはトレイ支持ガイド板、１５ｄは取付フレーム１５に設けたメダルの回収口、１５ｅは可動底面１３１の後端を水平と傾斜との間の状態への移動をガイドする登りスロープ状の左右あるガイド側板、１５ｆは欠番、１５ｇは取付フレーム１５の前面カバー、１５ｈは同前面カバー１５ｇに設けられたトレイ１１を貫通させてトレイ１１を後退可能とするトレイ開口である。
【００１７】
（実施例の動作）
メダルはメダル供給コンベアＭＫからメダル補給路ＭＳを経て、メダルホッパーＨＭへ送られ、メダルホッパーＨＭには多くのメダルが貯えられている。
【００１８】
紙幣が紙幣投入口ＳＴへ投入されると、貸機コンピュータ（制御装置）ＣＯＭは払出機ＨＤへ所要枚数のメダルを払い出して払出路ＨＲへ送り、メダルは払出口ＨＯ（取付フレーム１５のメダル払出口１５ａ）からメダルシュート１５ｂを介してトレイ１１のトレイ底面１３へ落下する。
又、貸機前面壁ＣＦに設けた貸出ボタンＢＨを操作しても、同様にメダルホッパーＨＭから所要枚数のメダルが払出口ＨＯ（取付フレーム１５の払出口１５ａ）からトレイ１１に向けて落下させる。貸機コンピュータＣＯＭによるメダルの計算・払出制御・表示器ＬＤ制御・貸出計算・メダルカウンターのメダル枚数情報は周知であるので省略している。又、本貸機ではメダルＩＣカードにもメダル枚数情報を書き込み、変更できるようにしている。
【００１９】
トレイ１１のトレイ底面１３は固定前方底面１１ｇの上方の可動底面１３１と後方中間底面１３８とからトレイ１１の中間の高さで構成される。可動底面１３１は前方上端の枢支軸１３１ｂで枢支され、スプリング１４２で下方へ付勢され、規制片１４１で水平か傾斜かの状態が決定されている。
【００２０】
又、可動底面１３１の回転は可動底面１３１の左右側方に固着した円弧状の左側面ガイド板１３１ａがトレイ１１の左側及び右側のトレイ後方側面１１ｄの前端の円弧状端面１１ｅと接触して可動底面１３１の枢支軸１３１ｂまわりの回動を円滑にしている。
又、可動底面１３１の後端は取付フレーム１５の登りスロープ状ガイド側板１５ｅの端面を滑って、水平から傾斜状態に又はその逆の傾斜から水平状態に滑らかに移行するようにガイドされている。
【００２１】
そして、トレイ１１全体は取付フレーム１５の前方に突出したＵ字状の支持ガイド板１５ｃで進退自在に保持され、トレイ１１の所定以上の前方への飛び出しはトレイ１１の左右の後方側面１１ｄの後端上方のストッパ１３７が取付フレーム１５の払出口１５ａの口縁（トレイ開口１５ｈの口縁）と当って防がれている。
又、トレイ１１全体の後退に対してはトレイ１１の前方側面１１ｃと後方側面１１ｄとの間の連接段部１１ｈが取付フレーム１５のトレイ支持ガイド板１５ｃの側面の前端面とに当ってトレイ１１の後方移動が停止し、トレイ１１の後部は取付フレーム１５内に収納された状態となる。
【００２２】
トレイ１１は常時は図４，５，６（ｂ），７の如く、前方へ引出されて使用される。この引出された状態で、トレイ１１は可動底面１３１は図４，６（ｂ），７（ａ）の如く水平状態となって後方中間底面１３８とともにトレイ底面１３を形成し、メダルトレイとして機能する場合と、可動底面１３１が傾斜した図５，７（ｂ）の傾斜状態となってメダル投入口として機能する場合とがある。
【００２３】
トレイ１１が前に引出して可動底面１３１が水平状態のメダルトレイとして機能する場合について説明する。
この場合は、回転操作レバー１４３ｆを左側に回転させる（図４参照）。可動底面１３１はスプリング１４２で傾斜方向に付勢されているが、可動底面１３１の下面に取付けたＪ字状の規制片１４１の下端は回転リング１４３ｅのその回転中心（回転中心ねじ１４３ｄ）からの外面が中心から大きく離れている水平維持の位置１４３ｂで当接して、規制片１４１は直立に近ずき、可動底面１３１を水平に支持する（図１１（ａ），図１２（ｄ）の状態とする）。これによって、貸機内の払出路ＨＲから送られるメダルは取付フレーム１５の払出口１５ａ（ＨＯ）とメダルシュート１５ｂを経てトレイ１１の後方中間底面１３８と水平な可動底面１３１の上で受け止められる。メダルの取り出しは、トレイ１１に指を差し込むように手を挿入して手前に寄せることで、手にメダルを握ることができる。トレイ１１が前に引出されているので、メダル枚数多く受け止められる。
【００２４】
次に、トレイ１１をメダル投入口として使用する場合も、トレイ１１は前方に引出した状態にし、回転操作レバー１４３ｆを右方向に回転させる。これによって、可動底面１３１の下面に垂設した規制片１４１が螺旋壁面１４３ａの表面を滑って回転中心ねじ１４３ｄに近い位置１４３ｃで当接し、規制片１４１が傾いて可動底面１３１を傾斜状態に保持する（図５，図７（ｂ），図１１（ｃ），図１２（ａ）参照）。
【００２５】
ここで、可動底面１３１が水平から傾斜状態へ移行する際、可動底面１３１の左右両側の後端は取付フレーム１５の登りスロープ状のガイド側板１５ｅに沿って下降する。又、及び回転操作レバー１４３ｆを右側にしてトレイ１１をメダル投入口として使用していた場合において、これをメダルトレイとして使用するには回転操作レバー１４３ｆを左側になるように回転操作すればよいが、これをせずに回転操作レバー１４３ｆを右側にしたままトレイを後方へ押し込む操作をしても、図８に示すように可動底面１３１を傾斜状態から水平状態にできる。このように、操作方法の間違いがあっても、水平状態としてメダルトレイとして使用可能にしている。但し、この操作ではトレイ１１は後退しているので、トレイの突出長さが短いメダルトレイとして使用される。即ち、この場合でも傾斜状態から水平状態に移行する際も、可動底面１３１の左右両側の後端が前記ガイド側板１５ｅに沿って下方から上方へ移動し、確実な水平状態移行を可能にしている。図８，図１２にその移行を説明している。
【００２６】
このトレイ１１の上方開口１２を投入口として使用する場合、トレイ１１に投入されたメダルはその傾斜した可動底面１３１を滑って、取付フレーム１５のＵ字状の支持ガイド板１５ｃの傾斜した下面の上に乗って滑って、その回収口１５ｄへ通過して貸機内の回収路ＭＲを通ってメダルカウンターＭＣとメダル排出路ＵＭＨへ経て、メダル回収コンベアＵＭＫへ送られて回収搬送される。
【００２７】
図１１に可動底面１３１を水平状態と傾斜状態とに切換える回転リング１４３ｅと、螺旋壁面１４３ａと回転操作レバー１４３ｆと規制片１４１の当接位置との関係を示している。この回転操作レバー１４３ｆの９０°程の左右の回転によって可動底面１３１を水平と傾斜の状態に切換えられる。
【００２８】
図１２には、トレイ１１の前後の引出しと、押し込みと、回転操作レバー１４３ｆの回転操作による実施例の状態切換機構１４の状態を示す説明図である。
【００２９】
このように、トレイ１１は遊技中は常時引出して使用され、回転操作レバー１４３ｆの左側への回転操作で、メダルトレイとして使用できる。メダルの投入として使い分けるように使用する。そのため、切換操作が容易で使い易いものとなっている。
【００３０】
トレイ１１の後部を貸機内へ収納させるのは、メダル貸機の横に設置したスロットル機Ｓを点検・補修の為にスロットル機Ｓの扉を開ける場合に、メダル貸機Ｇの前方に長く突出したトレイ１１が扉の開くときの障害にならないためである。
【産業上の利用可能性】
【００３１】
本発明は、スロットル機の横に置くメダル貸機として使用する他に、他の遊技機の横に隣接して使用するメダル貸機としても使用可能である。
【符号の説明】
【００３２】
Ｇ    実施例のメダル貸機
Ｓ    スロットル機
Ｃ    貸機ケーシング
ＣＦ    貸機前面壁
ＨＭ    メダルホッパー
ＨＤ    メダル払出機
ＨＲ    払出路
ＨＯ    払出口
ＬＤ    表示器
ＳＨ    紙幣判別装置
ＳＴ    紙幣投入口
ＭＲ    回収路
ＭＲＯ    回収口
ＭＣ    メダルカウンター
ＭＫ    メダル供給コンベア
ＭＳ    メダル補給路
ＵＭＫ    メダル回収コンベア
ＵＭＨ    メダル排出路
ＣＯＭ    貸機コンピュータ（制御部）
ＢＨ    貸出ボタン
ＩＣ    メダルＩＣカード挿入口
１１    トレイ
１１ａ    トレイ前面
１１ｂ    トレイ前面の開口
１１ｃ    左右のトレイ前方側面
１１ｄ    左右のトレイ後方側面
１１ｅ    右トレイ後方側面の円弧状端面
１１ｆ    トレイの後方開口
１１ｇ    トレイの固定前方底面
１１ｈ    連接段部
１２    上方開口
１３    トレイ底面
１３１    可動底面
１３１ａ    可動底面の左側面ガイド板
１３１ｂ    可動底面の枢支軸
１３１ｃ    後方段面
１３７    ストッパ
１３８    後方中間底面
１４    状態切換機構
１４１    規制片
１４２    スプリング
１４３    回転体
１４３ａ    螺旋壁面
１４３ｂ    規制片１４１の当接の位置
１４３ｃ    規制片１４１の当接の位置
１４３ｄ    回転体１４３の回転中心ねじ
１４３ｅ    回転リング
１４３ｆ    回転操作レバー
１５    取付フレーム
１５ａ    取付フレームの払出口
１５ｂ    メダルシュート
１５ｃ    Ｕ字状のトレイ支持ガイド板
１５ｄ    回収口
１５ｅ    ガイド側板
１５ｆ    欠番
１５ｇ    前面カバー
１５ｈ    前面カバーの開口
【図１】
0006267270.tif 000002
【図２】
0006267270.tif 000003
【図３】
0006267270.tif 000004
【図４】
0006267270.tif 000005
【図５】
0006267270.tif 000006
【図６】
0006267270.tif 000007
【図７】
0006267270.tif 000008
【図８】
0006267270.tif 000009
【図９】
0006267270.tif 000010
【図１０】
0006267270.tif 000011
【図１１】
0006267270.tif 000012
【図１２】
0006267270.tif 000013